【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
撮影レンズを通過した光束を受光し光電変換して像信号を出力する撮像用画素と焦点検出用画素を有する撮像素子と、
上記撮像素子を上記撮影レンズの光軸と垂直な方向に移動させて手ブレを補正すると共に上記撮像素子の移動に関する情報を出力する防振部と、
上記焦点検出用画素の出力に基づいて焦点調節信号を演算する演算部と、
上記焦点検出用画素の像高位置に応じて上記焦点調節信号を補正する補正値を記憶する記憶部と、
上記記憶部の出力と上記防振部の出力する情報と上記焦点検出画素の位置に応じて上記焦点調節信号を補正する補正部と、
を具備し、
上記補正値は、上記撮影レンズの光軸上での単位像面移動量に対する上記像高位置での像面移動量の比を示す情報であり、
上記補正部は、上記焦点検出用画素の像高位置と上記防振部の出力する上記撮像素子の移動に関する情報とに対応する上記補正値に基づいて上記焦点調節信号を補正する、
ことを特徴とする焦点調節装置。
【請求項２】
上記撮影レンズは、光軸方向に移動可能で焦点距離を調節可能なレンズを含み、
上記記憶部は、上記焦点距離に応じた補正値を記憶する、
ことを特徴とする請求項１に記載の焦点調節装置。
【請求項３】
上記撮影レンズは、光軸方向に移動可能な焦点調節用レンズを含み、
上記記憶部は、上記焦点調節用レンズの位置に応じた補正値を記憶する、
ことを特徴とする請求項１に記載の焦点調節装置。
【請求項４】
撮影光学系を有する交換レンズと該交換レンズを装着可能なカメラ本体とを有するカメラシステムにおいて、
上記交換レンズは、撮像素子の撮像領域の像高位置に応じて焦点調節に関する補正値を記憶し、上記補正値を上記カメラ本体に出力する記憶部を有し、
上記カメラ本体は、
上記撮影光学系を通過した光束を受光し光電変換して像信号を出力する撮像用画素と焦点検出用画素を有する撮像素子と、
上記焦点検出用画素の出力に基づいて焦点調節信号を演算する演算部と、
上記撮像素子を上記撮影レンズの光軸と垂直な方向に移動させて手ブレを補正すると共に上記撮像素子の移動に関する情報を出力する防振部と、
上記記憶部の出力する補正値と上記防振部の出力する上記移動に関する情報と上記焦点検出画素の位置に応じて上記焦点調節信号を補正する補正部と、
を具備し、
上記補正値は、上記撮影レンズの光軸上での単位像面移動量に対する上記像高位置での像面移動量の比を示す情報であり、
上記補正部は、上記焦点検出用画素の像高位置と上記防振部の出力する上記撮像素子の移動に関する情報とに対応する上記補正値に基づいて上記焦点調節信号を補正する、
ことを特徴とするカメラシステム。
【請求項５】
撮影光学系を有する交換レンズと該交換レンズを装着可能なカメラ本体とを有するカメラシステムにおいて、
上記交換レンズは、
撮像素子の撮像領域の像高位置に応じて焦点調節に関する補正値を記憶し、上記補正値を上記カメラ本体に出力する記憶部と、
上記撮影レンズの一部を光軸と垂直な方向に移動させて手ブレを補正すると共に上記撮影光学系の移動に関する情報を出力する防振部と、
を有し、
上記カメラ本体は、
上記撮影光学系を通過した光束を受光し光電変換して像信号を出力する撮像用画素と焦点検出用画素を有する撮像素子と、
上記焦点検出用画素の出力に基づいて焦点調節信号を演算する演算部と、
上記記憶部の出力する補正値と上記防振部の出力する上記移動に関する情報と上記焦点検出画素の位置に応じて上記焦点調節信号を補正する補正部と、
を具備し、
上記補正値は、上記撮影レンズの光軸上での単位像面移動量に対する上記像高位置での像面移動量の比を示す情報であり、
上記補正部は、上記焦点検出用画素の像高位置と上記防振部の出力する上記撮影光学系の移動に関する情報とに対応する上記補正値に基づいて上記焦点調節信号を補正する、
ことを特徴とするカメラシステム。
【請求項６】
撮影レンズを通過した光束を受光し光電変換して像信号を出力する撮像用画素と焦点検出用画素を有する撮像素子と、上記撮像素子を上記撮影レンズの光軸と垂直な方向に移動させて手ブレを補正すると共に上記撮像素子の移動に関する情報を出力する防振部とを有する撮像装置の焦点調節方法において、
上記撮像素子に対して焦点検出領域を設定し、
上記焦点検出領域に含まれる複数の焦点検出用画素の出力に基づいて焦点調節信号を生成し、
上記防振部の出力する情報と上記焦点検出領域の位置に応じて上記焦点調節信号を補正し、
上記補正値は、上記撮影レンズの光軸上での単位像面移動量に対する上記像高位置での像面移動量の比を示す情報であり、
上記焦点検出用画素の像高位置と上記防振部の出力する上記撮像素子の移動に関する情報とに対応する上記補正値に基づいて上記焦点調節信号を補正する、
ことを特徴とする撮像装置の焦点調節方法。
【請求項７】
撮影レンズを通過した光束を受光し光電変換して像信号を出力する撮像用画素と焦点検出用画素を有する撮像素子と、上記撮影レンズに含まれるレンズ部を上記撮影レンズの光軸と垂直な方向に移動させて手ブレを補正すると共に上記レンズ部の移動に関する情報を出力する防振部とを有する撮像装置の焦点調節方法において、
上記撮像素子に対して焦点検出領域を設定し、
上記焦点検出領域に含まれる複数の焦点検出用画素の出力に基づいて焦点調節信号を生成し、
上記防振部の出力する情報と上記焦点検出領域の位置に応じて上記焦点調節信号を補正し、
上記補正値は、上記撮影レンズの光軸上での単位像面移動量に対する上記像高位置での像面移動量の比を示す情報であり、
上記焦点検出用画素の像高位置と上記防振部の出力する上記レンズ部の移動に関する情報とに対応する上記補正値に基づいて上記焦点調節信号を補正する、
ことを特徴とする撮像装置の焦点調節方法。
【手続補正２】
【補正対象書類名】明細書
【補正対象項目名】０００９
【補正方法】変更
【補正の内容】
【０００９】
上記目的を達成するため第１の発明に係る焦点調節装置は、撮影レンズを通過した光束を受光し光電変換して像信号を出力する撮像用画素と焦点検出用画素を有する撮像素子と、上記撮像素子を上記撮影レンズの光軸と垂直な方向に移動させて手ブレを補正すると共に上記撮像素子の移動に関する情報を出力する防振部と、上記焦点検出用画素の出力に基づいて焦点調節信号を演算する演算部と、上記焦点検出用画素の像高位置に応じて上記焦点調節信号を補正する補正値を記憶する記憶部と、上記記憶部の出力と上記防振部の出力する情報と上記焦点検出画素の位置に応じて上記焦点調節信号を補正する補正部と、を具備し、上記補正値は、上記撮影レンズの光軸上での単位像面移動量に対する上記像高位置での像面移動量の比を示す情報であり、上記補正部は、上記焦点検出用画素の像高位置と上記防振部の出力する上記撮像素子の移動に関する情報とに対応する上記補正値に基づいて上記焦点調節信号を補正する。
【手続補正３】
【補正対象書類名】明細書
【補正対象項目名】００１０
【補正方法】変更
【補正の内容】
【００１０】
第２の発明に係る焦点調節装置は、上記第１の発明において、上記撮影レンズは、光軸方向に移動可能で焦点距離を調節可能なレンズを含み、上記記憶部は、上記焦点距離に応じた補正値を記憶する。
第３の発明に係る焦点調節装置は、上記第１の発明において、上記撮影レンズは、光軸方向に移動可能な焦点調節用レンズを含み、上記記憶部は、上記焦点調節用レンズの位置に応じた補正値を記憶する。
【手続補正４】
【補正対象書類名】明細書
【補正対象項目名】００１１
【補正方法】変更
【補正の内容】
【００１１】
第４の発明に係るカメラシステムは、撮影光学系を有する交換レンズと該交換レンズを装着可能なカメラ本体とを有するカメラシステムにおいて、上記交換レンズは、撮像素子の撮像領域の像高位置に応じて焦点調節に関する補正値を記憶し、上記補正値を上記カメラ本体に出力する記憶部を有し、上記カメラ本体は、上記撮影光学系を通過した光束を受光し光電変換して像信号を出力する撮像用画素と焦点検出用画素を有する撮像素子と、上記焦点検出用画素の出力に基づいて焦点調節信号を演算する演算部と、上記撮像素子を上記撮影レンズの光軸と垂直な方向に移動させて手ブレを補正すると共に上記撮像素子の移動に関する情報を出力する防振部と、上記記憶部の出力する補正値と上記防振部の出力する上記移動に関する情報と上記焦点検出画素の位置に応じて上記焦点調節信号を補正する補正部と、を具備し、上記補正値は、上記撮影レンズの光軸上での単位像面移動量に対する上記像高位置での像面移動量の比を示す情報であり、上記補正部は、上記焦点検出用画素の像高位置と上記防振部の出力する上記撮像素子の移動に関する情報とに対応する上記補正値に基づいて上記焦点調節信号を補正する。
【手続補正５】
【補正対象書類名】明細書
【補正対象項目名】００１２
【補正方法】変更
【補正の内容】
【００１２】
第５の発明に係るカメラシステムは、撮影光学系を有する交換レンズと該交換レンズを装着可能なカメラ本体とを有するカメラシステムにおいて、上記交換レンズは、撮像素子の撮像領域の像高位置に応じて焦点調節に関する補正値を記憶し、上記補正値を上記カメラ本体に出力する記憶部と、上記撮影レンズの一部を光軸と垂直な方向に移動させて手ブレを補正すると共に上記撮影光学系の移動に関する情報を出力する防振部と、を有し、上記カメラ本体は、上記撮影光学系を通過した光束を受光し光電変換して像信号を出力する撮像用画素と焦点検出用画素を有する撮像素子と、上記焦点検出用画素の出力に基づいて焦点調節信号を演算する演算部と、上記記憶部の出力する補正値と上記防振部の出力する上記移動に関する情報と上記焦点検出画素の位置に応じて上記焦点調節信号を補正する補正部と、を具備し、上記補正値は、上記撮影レンズの光軸上での単位像面移動量に対する上記像高位置での像面移動量の比を示す情報であり、上記補正部は、上記焦点検出用画素の像高位置と上記防振部の出力する上記撮影光学系の移動に関する情報とに対応する上記補正値に基づいて上記焦点調節信号を補正する。
【手続補正６】
【補正対象書類名】明細書
【補正対象項目名】００１３
【補正方法】変更
【補正の内容】
【００１３】
第６の発明に係る撮像装置の焦点調節方法は、撮影レンズを通過した光束を受光し光電変換して像信号を出力する撮像用画素と焦点検出用画素を有する撮像素子と、上記撮像素子を上記撮影レンズの光軸と垂直な方向に移動させて手ブレを補正すると共に上記撮像素子の移動に関する情報を出力する防振部とを有する撮像装置の焦点調節方法において、上記撮像素子に対して焦点検出領域を設定し、上記焦点検出領域に含まれる複数の焦点検出用画素の出力に基づいて焦点調節信号を生成し、上記防振部の出力する情報と上記焦点検出領域の位置に応じて上記焦点調節信号を補正し、上記補正値は、上記撮影レンズの光軸上での単位像面移動量に対する上記像高位置での像面移動量の比を示す情報であり、上記焦点検出用画素の像高位置と上記防振部の出力する上記撮像素子の移動に関する情報とに対応する上記補正値に基づいて上記焦点調節信号を補正する。
【手続補正７】
【補正対象書類名】明細書
【補正対象項目名】００１４
【補正方法】変更
【補正の内容】
【００１４】
第７の発明に係る撮像装置の焦点調節方法は、撮影レンズを通過した光束を受光し光電変換して像信号を出力する撮像用画素と焦点検出用画素を有する撮像素子と、上記撮影レンズに含まれるレンズ部を上記撮影レンズの光軸と垂直な方向に移動させて手ブレを補正すると共に上記レンズ部の移動に関する情報を出力する防振部とを有する撮像装置の焦点調節方法において、上記撮像素子に対して焦点検出領域を設定し、上記焦点検出領域に含まれる複数の焦点検出用画素の出力に基づいて焦点調節信号を生成し、上記防振部の出力する情報と上記焦点検出領域の位置に応じて上記焦点調節信号を補正し、上記補正値は、上記撮影レンズの光軸上での単位像面移動量に対する上記像高位置での像面移動量の比を示す情報であり、上記焦点検出用画素の像高位置と上記防振部の出力する上記レンズ部の移動に関する情報とに対応する上記補正値に基づいて上記焦点調節信号を補正する。